(57)【要約】【課題】貯溜槽からオゾン水濃度計に至る間にオゾン水濃度が低下することを抑制し、貯溜槽内のオゾン水濃度を正確に測定することができる技術を提供することを課題とする。【解決手段】オゾン水濃度の測定を行うオゾン水濃度測定システム１であって、オゾン水が溜められる貯溜槽８から配管５を介して流入するオゾン水の濃度を測定するように構成されるオゾン水濃度計４を具備し、貯溜槽８内のオゾン水が自重によって配管５を介してオゾン水濃度計４に流入するように構成される。【選択図】図１
2014066569.tif 000002
【特許請求の範囲】
【請求項１】
オゾン水濃度の測定を行う、オゾン水濃度測定システムであって、
前記オゾン水が溜められる貯溜槽から配管を介して流入する前記オゾン水の濃度を測定するように構成されるオゾン水濃度計を具備し、
前記貯溜槽内のオゾン水が自重によって前記配管を介して前記オゾン水濃度計に流入するように構成される、オゾン水濃度測定システム。
【請求項２】
請求項１に記載のオゾン水濃度測定システムを具備し、
前記オゾン水を用いて消毒対象の消毒を行う、オゾン水濃度測定システムを具備する消毒装置。
【請求項３】
前記オゾン水によって前記消毒対象の消毒を行うように構成される消毒部を具備し、
前記貯溜槽内のオゾン水が自重によって前記配管を介して前記消毒部に流入するように構成される、
請求項２に記載のオゾン水濃度測定システムを具備する消毒装置。
【発明の詳細な説明】
【技術分野】
【０００１】
本発明は、オゾン水濃度測定システム、および、オゾン水濃度測定システムを具備する消毒装置の技術に関する。
【背景技術】
【０００２】
従来、オゾン水濃度の測定を行うオゾン水濃度測定システムの技術は公知となっている（特許文献１参照）。
前記オゾン水濃度測定システムには、オゾン水が溜められる貯溜槽から配管を介して流入するオゾン水の濃度を測定するように構成されるオゾン水濃度計を具備し、ポンプ等の供給装置によって貯溜槽からオゾン水濃度計にオゾン水を供給するように構成されるものがある。
【先行技術文献】
【特許文献】
【０００３】
【特許文献１】特開２００１−５６２９２号公報
【発明の概要】
【発明が解決しようとする課題】
【０００４】
しかしながら、前記オゾン水濃度測定システムでは、ポンプ等の供給装置によるオゾン水を供給する動作の際に熱や物理的な力等が加わって、貯溜槽からオゾン水濃度計に至る間にオゾン水中のオゾンが分解される場合がある。
そして、前記オゾン水濃度測定システムでは、このように貯溜槽からオゾン水濃度計に至る間にオゾン水中のオゾンが分解されることによって、オゾン水濃度が低下し、貯溜槽内のオゾン水濃度を正確に測定することができない場合があった。
【０００５】
本発明は以上の如き状況に鑑みてなされたものであり、貯溜槽からオゾン水濃度計に至る間にオゾン水濃度が低下することを抑制し、貯溜槽内のオゾン水濃度を正確に測定することができる技術を提供することを課題とする。
【課題を解決するための手段】
【０００６】
本発明の解決しようとする課題は以上の如くであり、次にこの課題を解決するための手段を説明する。
【０００７】
即ち、請求項１においては、オゾン水濃度の測定を行う、オゾン水濃度測定システムであって、前記オゾン水が溜められる貯溜槽から配管を介して流入する前記オゾン水の濃度を測定するように構成されるオゾン水濃度計を具備し、前記貯溜槽内のオゾン水が自重によって前記配管を介して前記オゾン水濃度計に流入するように構成されるものである。
【０００８】
請求項２においては、請求項１に記載のオゾン水濃度測定システムを具備し、前記オゾン水を用いて消毒対象の消毒を行う、オゾン水濃度測定システムを具備する消毒装置としたものである。
【０００９】
請求項３においては、前記オゾン水によって前記消毒対象の消毒を行うように構成される消毒部を具備し、前記貯溜槽内のオゾン水が自重によって前記配管を介して前記消毒部に流入するように構成されるものである。
【発明の効果】
【００１０】
本発明の効果として、以下に示すような効果を奏する。
【００１１】
即ち、本発明によれば、貯溜槽からオゾン水濃度計に至る間にオゾン水濃度が低下することを抑制し、貯溜槽内のオゾン水濃度を正確に測定することができる。
【図面の簡単な説明】
【００１２】
【図１】本発明の実施形態に係るオゾン水濃度測定システムを示したブロック図。
【図２】本発明の実施形態に係るオゾン水濃度測定システムの動作を示したフロー図。
【図３】本発明の実施形態に係るオゾン水濃度測定システムを具備する消毒装置を示したブロック図。
【図４】同じくオゾン水濃度測定システムを具備する消毒装置を示した部分拡大斜視図。
【図５】同じくオゾン水濃度測定システムを具備する消毒装置の水流幅拡張器を示した斜視図。
【図６】同じくオゾン水濃度測定システムを具備する消毒装置の水流幅拡張器を示した側面図。
【図７】同じくオゾン水濃度測定システムを具備する消毒装置を示したブロック図。
【発明を実施するための形態】
【００１３】
次に、本発明の実施形態に係るオゾン水濃度測定システム１について、図１から図７を用いて説明する。
【００１４】
オゾン水濃度測定システム１は、オゾン水濃度の測定を行うものである。
ここで、オゾン水とは、水にオゾン（Ｏ３）が溶解されてなるものである。
オゾン水濃度測定システム１は、図１に示すように、オゾン水生成部２と、オゾン分解触媒３と、オゾン水濃度計４と、廃水容器６と、を具備する。
【００１５】
オゾン水濃度測定システム１のオゾン水生成部２は、オゾン水を生成するように構成される。
オゾン水生成部２は、オゾンガス発生装置７と、貯溜槽８と、オゾンガス供給器１０と、を備えて構成される。
【００１６】
オゾン水濃度測定システム１のオゾン水生成部２のオゾンガス発生装置７は、オゾンガスを発生するように構成される。
オゾン水生成部２の貯溜槽８は、オゾン水（または原水）が溜められるように構成される。オゾン水生成部２の貯溜槽８は、例えば、４００Ｌのオゾン水が溜められるように構成される。オゾン水生成部２の貯溜槽８の上方の開口には、蓋部材９が配置される。
オゾン水生成部２のオゾンガス供給器１０は、貯溜槽８（貯溜槽８内のオゾン水）内に配置される。オゾン水生成部２のオゾンガス供給器１０は、オゾンガス供給管を介してオゾンガス発生装置７に接続される。
そして、オゾン水生成部２は、オゾンガス発生装置７において発生されたオゾンガスをオゾンガス供給器１０によってバブル状にして貯溜槽８内に供給し、貯溜槽８内のオゾン水濃度を上昇させるように構成される。
【００１７】
オゾン水濃度測定システム１のオゾン分解触媒３は、排気管を介してオゾン水生成部２の貯溜槽８における蓋部材９の内側の空間に接続される。
オゾン分解触媒３は、オゾン水生成部２の貯溜槽８内のオゾン水から揮散したオゾンガスを分解するように構成される。
【００１８】
オゾン水濃度測定システム１のオゾン水濃度計４は、オゾン水の濃度を測定するように構成される。
オゾン水濃度計４は、配管５を介してオゾン水生成部２の貯溜槽８に接続される。
オゾン水濃度計４は、オゾン水生成部２の貯溜槽８から流出して配管５を介して流入するオゾン水の濃度を測定するように構成される。オゾン水濃度計４は、例えば、０．２Ｌ／分のオゾン水が配管５を介して流入するように構成され、前記流入するオゾン水濃度を測定するように構成される。
【００１９】
オゾン水濃度測定システム１の廃水容器６は、排水管４１を介してオゾン水濃度計４に接続される。廃水容器６は、オゾン水濃度計４においてオゾン水濃度が測定されたオゾン水が排水管４１を介して流入するように構成される。
【００２０】
オゾン水濃度測定システム１のオゾン水濃度計４および配管５は、オゾン水生成部２の下方に配置される。
そして、オゾン水濃度測定システム１は、オゾン水生成部２の貯溜槽８内のオゾン水が自重によって配管５を介してオゾン水濃度計４に流入するように構成される。
【００２１】
このように、オゾン水生成部２の貯溜槽８内のオゾン水が自重によって配管５を介してオゾン水濃度計４に流入するように構成されるオゾン水濃度測定システム１では、ポンプ等の供給装置を要さずに、オゾン水生成部２の貯溜槽８からオゾン水濃度計４にオゾン水が供給される。
このため、オゾン水濃度測定システム１では、オゾン水生成部２の貯溜槽８からオゾン水濃度計４にポンプ等の供給装置によってオゾン水を供給するように構成されるものに比べて、熱や物理的な力等が加わることによってオゾン水生成部２の貯溜槽８からオゾン水濃度計４に至る間にオゾン水中のオゾンが分解されることを抑制することができる。
したがって、オゾン水濃度測定システム１によれば、オゾン水生成部２の貯溜槽８からオゾン水濃度計４にポンプ等の供給装置によってオゾン水を供給するように構成されるものに比べて、オゾン水生成部２の貯溜槽８からオゾン水濃度計４に至る間にオゾン水濃度が低下することを抑制し、オゾン水生成部２の貯溜槽８内のオゾン水濃度を正確に測定することができる。
【００２２】
また、このように構成されるオゾン水濃度測定システム１では、オゾン水生成部２の貯溜槽８からオゾン水濃度計４にオゾン水を供給するポンプ等の供給装置が不要となるため、オゾン水生成部２の貯溜槽８からオゾン水濃度計４にポンプ等の供給装置によってオゾン水を供給するように構成されるものに比べて、オゾン水生成部２の貯溜槽８内のオゾン水のオゾン水濃度の測定を行うもの（オゾン水濃度測定システム）を簡易な構成とすることができる。
【００２３】
オゾン水濃度測定システム１は、オゾン水濃度計４が測定したオゾン水濃度が予め設定された任意の濃度以上（例えば、オゾン水濃度が４ｍｇ／L以上）になったときに、オゾン水生成部２の貯溜槽８内へのオゾンガスの供給が停止されるように構成される。
【００２４】
オゾン水濃度測定システム１において、オゾン水濃度計４が測定したオゾン水濃度が予め設定された任意の濃度以上になったときに、オゾン水生成部２の貯溜槽８内へのオゾンガスの供給が停止される一連の動作について、図２を用いて説明する。
【００２５】
図２に示すように、オゾン水濃度測定システム１のオゾン水生成部２の貯溜槽８内へオゾンガスを供給する工程（ステップＳ１）を行う。
このとき、オゾン水生成部２のオゾンガス供給器１０によって、オゾンガス発生装置７において発生されたオゾンガスを貯溜槽８内でバブル状に発生させて、貯溜槽８にオゾンガスを供給する。
前記オゾン水生成部２の貯溜槽８内へオゾンガスを供給する工程（ステップＳ１）を行った後、ステップＳ２に移行する。
【００２６】
次に、オゾン水濃度測定システム１においてオゾン水のオゾン水濃度が予め設定された任意の濃度以上か否かについて測定するする工程（ステップＳ２）を行う。
このとき、オゾン水濃度計４が、オゾン水生成部２の貯溜槽８から配管５を介して流入するオゾン水の濃度を測定することによって行う。
オゾン水濃度計４が測定したオゾン水濃度が予め設定された任意の濃度未満である場合には、ステップＳ１に移行する。
オゾン水濃度計４が測定したオゾン水濃度が予め設定された任意の濃度以上である場合には、ステップＳ３に移行する。
【００２７】
次に、オゾン水濃度測定システム１のオゾン水生成部２の貯溜槽８内へのオゾンガスの供給を停止する工程（ステップＳ３）を行う。
前記オゾン水生成部２の貯溜槽８内へのオゾンガスの供給の停止は、オゾン水生成部２のオゾンガス発生装置７の動作を停止すること、オゾン水生成部２のオゾンガス供給器１０の動作を停止すること、または、オゾン水生成部２のオゾンガス発生装置７からオゾンガス供給器１０へオゾンガスを供給するオゾンガス供給管を閉弁すること、等によって行われる。
オゾン水生成部２の貯溜槽８内へのオゾンガスの供給を停止する工程（ステップＳ３）を行った後、その一連の動作を終了する。
以上のようにして、オゾン水濃度測定システム１において、オゾン水濃度計４が測定したオゾン水濃度が予め設定された任意の濃度以上になったときに、オゾン水生成部２の貯溜槽８内へのオゾンガスの供給が停止される一連の動作が行われる。
【００２８】
このように、オゾン水濃度計４が測定したオゾン水濃度が予め設定された任意の濃度以上になったときに、オゾン水生成部２の貯溜槽８内へのオゾンガスの供給が停止されるように構成されるオゾン水濃度測定システム１では、オゾン水濃度が予め設定された任意の濃度以上にならないようにすることができる。
【００２９】
次に、本発明の実施形態に係るオゾン水濃度測定システム１を具備する消毒装置（以下において「消毒装置」と称する）２０について、図３から図７を用いて説明する。
【００３０】
消毒装置２０は、オゾン水を用いて消毒対象の消毒を行うものである。以下において、消毒装置２０は、その消毒対象を手指であるものとして、手指を消毒するものとして説明する。
消毒装置２０は、図３乃至図５に示すように、オゾン水濃度測定システム１と、消毒部３０と、廃水槽４０と、オゾン処理部５０と、を具備する。
【００３１】
消毒装置２０のオゾン水濃度測定システム１のオゾン水生成部２とオゾン水濃度計４とを接続する配管５がその中途部で分岐するようにして構成され、当該分岐する配管５を介してオゾン生成部が消毒部３０に接続され、当該分岐する配管５を介してオゾン水生成部２において生成したオゾン水を消毒部３０に供給するように構成される。
【００３２】
消毒装置２０の消毒部３０は、オゾン水濃度測定システム１のオゾン水生成部２によって生成されて供給されたオゾン水によって手指（消毒対象）の消毒を行うように構成される。
消毒部３０は、箱体３１と、消毒室３２と、一対の挿入孔３３・３３と、オゾン水供給管３４と、を備えて構成される。
【００３３】
消毒装置２０の消毒部３０の箱体３１は、内部が中空状の箱状に構成される。
【００３４】
消毒装置２０の消毒部３０の消毒室３２は、箱体３１の内部の空間（箱体３１の中空状の空間）で構成される。
消毒部３０の消毒室３２は、消毒部３０において手指の消毒を行うときに手指が配置されて、消毒部３０におけるオゾン水による手指の消毒を行う領域として構成される。
【００３５】
消毒装置２０の消毒部３０の挿入孔３３は、箱体３１の側壁に箱体３１外から消毒室３２内に貫通するように形成される。
消毒部３０の挿入孔３３は、箱体３１外から消毒室３２内に手指を挿入可能に構成される。
【００３６】
消毒装置２０の消毒部３０のオゾン水供給管３４は、配管５を介してオゾン水濃度測定システム１のオゾン水生成部２に接続される。
消毒部３０のオゾン水供給管３４は、その供給口３５が消毒室３２内に配置され、オゾン水生成部２によって生成されたオゾン水を、供給口３５を介して消毒室３２内に供給するように構成される。
【００３７】
そして、消毒装置２０は、消毒部３０の挿入孔３３から挿入するようにして手指を消毒室３２内に配置し、オゾン水供給管３４の供給口３５から供給されるオゾン水によって、手指の消毒を行うように構成される。
【００３８】
消毒装置２０の廃水槽４０は、排水管４１を介して消毒部３０（消毒部３０の消毒室３２）に接続される。
廃水槽４０は、消毒室３２に供給されて手指の消毒処理に使用された廃水（オゾン水）が、排水管４１を介して流入するように構成される。
【００３９】
消毒装置２０のオゾン水濃度測定システム１のオゾン水濃度計４および配管５は、オゾン水生成部２の下方に配置される。
そして、消毒装置２０は、オゾン水濃度測定システム１のオゾン水生成部２の貯溜槽８内のオゾン水が自重によって配管５を介してオゾン水濃度計４に流入するように構成される。
【００４０】
このように、オゾン水生成部２の貯溜槽８内のオゾン水が自重によって配管５を介してオゾン水濃度計４に流入するように構成されるオゾン水濃度測定システム１を具備する消毒装置２０では、ポンプ等の供給装置を要さずに、オゾン水濃度測定システム１のオゾン水生成部２の貯溜槽８からオゾン水濃度計４にオゾン水が供給される。
このため、消毒装置２０では、オゾン水生成部２の貯溜槽８からオゾン水濃度計４にポンプ等の供給装置によってオゾン水を供給するように構成されるものに比べて、ポンプ等の供給装置によって熱や物理的な力等が加わることによってオゾン水濃度測定システム１のオゾン水生成部２の貯溜槽８からオゾン水濃度計４に至る間にオゾン水中のオゾンが分解されることを抑制することができる。
したがって、消毒装置２０によれば、オゾン水生成部２の貯溜槽８からオゾン水濃度計４にポンプ等の供給装置によってオゾン水を供給するように構成されるものに比べて、オゾン水濃度測定システム１のオゾン水生成部２の貯溜槽８からオゾン水濃度計４に至る間にオゾン水濃度が低下することを抑制し、オゾン水濃度測定システム１のオゾン水生成部２の貯溜槽８内のオゾン水濃度を正確に測定することができる。
【００４１】
消毒装置２０の消毒部３０（消毒部３０の箱体３１、消毒室３２、および、オゾン水供給管３４等）は、オゾン水濃度測定システム１のオゾン水生成部２の下方に配置される。
そして、消毒装置２０は、オゾン水濃度測定システム１のオゾン水生成部２の貯溜槽８内のオゾン水が自重によって配管５を介して消毒部３０の消毒室３２に流入するように構成される。
【００４２】
このように、オゾン水濃度測定システム１のオゾン水生成部２の貯溜槽８内のオゾン水が自重によって配管５を介して消毒室３２に流入するように構成される消毒部３０を具備する消毒装置２０では、ポンプ等の供給装置を要さずに、オゾン水濃度測定システム１のオゾン水生成部２の貯溜槽８から消毒部３０の消毒室３２にオゾン水が供給される。
このため、消毒装置２０では、オゾン水生成部２の貯溜槽８から消毒部３０の消毒室３２にポンプ等の供給装置によってオゾン水を供給するように構成されるものに比べて、ポンプ等の供給装置によって熱や物理的な力等が加わることによってオゾン水濃度測定システム１のオゾン水生成部２の貯溜槽８から消毒部３０の消毒室３２に至る間にオゾン水中のオゾンが分解されることを抑制することができる。
したがって、消毒装置２０によれば、オゾン水生成部２の貯溜槽８から消毒部３０の消毒室３２にポンプ等の供給装置によってオゾン水を供給するように構成されるものに比べて、オゾン水濃度測定システム１のオゾン水生成部２の貯溜槽８から消毒部３０の消毒室３２に至る間にオゾン水濃度が低下することを抑制し、消毒部３０の消毒室３２おいてオゾン水の消毒効果が低下することを抑制することができる。
【００４３】
また、このように構成される消毒装置２０では、オゾン水生成部２の貯溜槽８から消毒部３０にオゾン水を供給するポンプ等の供給装置が不要となるため、オゾン水濃度測定システム１のオゾン水生成部２の貯溜槽８から消毒部３０の消毒室３２にポンプ等の供給装置によってオゾン水を供給するように構成されるものに比べて、オゾン水を用いて手指の消毒を行うもの（消毒装置２０）を簡易な構成とすることができる。
【００４４】
また、消毒装置２０の消毒部３０は、水流幅拡張器７０を備えて構成される。
消毒部３０の水流幅拡張器７０は、消毒室３２内に配置される。
消毒部３０の水流幅拡張器７０は、消毒室３２内において、オゾン水供給管３４の供給口３５から供給されるオゾン水の水流幅を、（オゾン水供給管３４の供給口３５から流出直後のオゾン水の水流幅よりも）広げるように構成される。
【００４５】
このように、消毒部３０が水流幅拡張器７０を備える消毒装置２０では、水流幅拡張器７０によって水流幅が広げられたオゾン水で、手指の消毒を行うように構成される。
このため、消毒装置２０によれば、消毒部３０が水流幅拡張器７０を備えないものに比べて、手指に掛かるオゾン水の範囲を広がるため、手指を移動させて手指にオゾン水が掛かる箇所を移動させる動作範囲を狭くすること（または移動させる動作を無くすこと）ことができる。
したがって、消毒装置２０によれば、消毒部３０が水流幅拡張器７０を備えないものに比べて、容易に手指全体を消毒することができる。
【００４６】
消毒装置２０の消毒部３０の水流幅拡張器７０は、受け皿７１と、板体７２と、を有して構成される。
【００４７】
消毒装置２０の消毒部３０における水流幅拡張器７０の受け皿７１は、オゾン水供給管３４の下流側に配置され、オゾン水供給管３４の供給口３５から供給されるオゾン水が溜められるように構成される。
消毒部３０における水流幅拡張器７０の受け皿７１は、流出口７３を有し、受け皿７１に溜められたオゾン水が流出口７３から板体７２に流出するように構成される。
【００４８】
消毒装置２０の消毒部３０における水流幅拡張器７０の受け皿７１は、上方が開口する箱状に構成される。
消毒部３０における水流幅拡張器７０の受け皿７１は、一部の側面は、その上縁部が切り欠かれるようにして、その上端位置が他の部分の上端位置に比べて低くなるように構成される。
消毒部３０における水流幅拡張器７０の受け皿７１の流出口７３は、前記一部の側面の上縁部が切り欠かれる部分で構成される。水流幅拡張器７０の受け皿７１の流出口７３は、その幅が少なくともオゾン水供給管３４の供給口３５の直径よりも大きく構成される。水流幅拡張器７０の受け皿７１の流出口７３は、その幅が少なくともオゾン水供給管３４の供給口３５から流出直後のオゾン水の水流幅よりも大きく構成される。
消毒部３０における水流幅拡張器７０の受け皿７１は、受け皿７１にオゾン水が溜められていって、受け皿７１におけるオゾン水の貯留限度を超えると、当該受け皿７１に溜められたオゾン水が溢れ出すようにして受け皿７１の流出口７３から板体７２に流出するように構成される。
そして、消毒部３０における水流幅拡張器７０の受け皿７１は、オゾン水供給管３４の供給口３５から供給されるオゾン水の水流幅を、（オゾン水供給管３４の供給口３５から流出直後のオゾン水の水流幅よりも）広げるようにして、受け皿７１の流出口７３から流出するように構成される。
【００４９】
消毒装置２０の消毒部３０における水流幅拡張器７０の板体７２は、平板状の部材で構成される。
消毒部３０における水流幅拡張器７０の板体７２は、受け皿７１の下流側に配置され、受け皿７１の流出口７３から流出したオゾン水が、受け皿７１においてその水流幅が広げられた状態で、板体７２の表面を上流側から下流側に流れるように構成される。
消毒部３０における水流幅拡張器７０の板体７２は、そのその上流側（オゾン水供給管３４側）が上方に（下流側（挿入孔３３側）が下方に）傾斜するように配置される。
消毒部３０における水流幅拡張器７０の板体７２は、その上流側端部が受け皿７１の流出口７３の下方において受け皿７１の外側の側壁に当接して配置される。
消毒部３０における水流幅拡張器７０の板体７２は、その幅が受け皿７１の流出口７３の幅よりも大きく構成される。
【００５０】
そして、消毒装置２０は、消毒部３０の消毒室３２内において、水流幅拡張器７０の板体７２の表面に手指を配置し、または、水流幅拡張器７０の板体７２の下流側端部の下方に手指を配置することにより、水流幅拡張器７０の板体７２を流れるオゾン水によって手指を消毒するように構成される（図５または図６参照）。
【００５１】
このように、消毒部３０の水流幅拡張器７０がオゾン水の水流幅が広げられた状態でオゾン水が表面を上流側から下流側に流れるように構成される板体７２を有する消毒装置２０では、水流幅拡張器７０の板体７２を流れるオゾン水は、オゾン水供給管３４の供給口３５から流出直後の水流幅よりもオゾン水の水流幅が広げられて、下流側に流れることとなる。
このため、消毒装置２０によれば、消毒部３０が水流幅拡張器７０を備えないものに比べて、手指に掛かるオゾン水の範囲を広がるため、手指を移動させて手指にオゾン水が掛かる箇所を移動させる動作範囲を狭くすること（または移動させる動作を無くすこと）ことができる。
したがって、消毒装置２０によれば、消毒部３０が水流幅拡張器７０を備えないものに比べて、容易に手指全体を消毒することができる。
【００５２】
また、消毒部３０の水流幅拡張器７０が板体７２を有する消毒装置２０では、水流幅拡張器７０の板体７２を流れるオゾン水は、オゾン水供給管３４の供給口３５から直接掛けられる水勢よりもオゾン水の水勢が弱められて、下流側に流れることとなる。
このため、消毒装置２０によれば、（例えば、水流幅拡張器７０の板体７２の表面に手指を配置してオゾン水によって手指を消毒する場合には）、手指にオゾン水が接触したときの衝撃でオゾン水中のオゾンが分解することを抑制することができ、オゾン水による手指の消毒効果が低下することを抑制することができる。
消毒装置２０では、消毒部３０の水流幅拡張器７０の板体７２の表面を流れるオゾン水が手指に接触したときの衝撃でオゾン水中のオゾンが分解することを抑制するためには、水流幅拡張器７０の板体７２の傾斜角度を１５度以下とすることが好ましい。
また、消毒装置２０では、消毒部３０の水流幅拡張器７０の板体７２の表面を流れるオゾン水が手指に接触したときの衝撃でオゾン水中のオゾンが分解することを抑制するためには、水流幅拡張器７０の板体７２の傾斜角度を１０度以下とすることがより好ましい。
【００５３】
消毒装置２０の消毒部３０のオゾン水供給管３４は、その供給口３５が水流幅拡張器７０の受け皿７１内（オゾン水が溜められる部分）に位置するように配置される。
このように、消毒部３０がオゾン水供給管３４を備え、消毒部３０の水流幅拡張器７０が受け皿７１を有し、消毒部３０のオゾン水供給管３４はその供給口３５が水流幅拡張器７０の受け皿７１内に位置するように配置される消毒装置２０では、オゾン水供給管３４の供給口３５から流出してオゾン水が受け皿７１に溜められる際に、オゾン水が受け皿７１の底面に接触したときの衝撃、または、オゾン水が受け皿７１に溜められたオゾン水の表面に接触したときの衝撃でオゾン水中のオゾンが分解することを抑制することができる。
【００５４】
さらに、消毒装置２０の消毒部３０のオゾン水供給管３４は、その供給口３５が水流幅拡張器７０の受け皿７１の流出口７３よりも下方（受け皿７１の底面側）に位置するように配置される。
このように構成される消毒装置２０では、水流幅拡張器７０の受け皿７１の流出口７３からオゾン水が流出する程度にオゾン水が水流幅拡張器７０の受け皿７１に溜められた状態では、オゾン水供給管３４の供給口３５から流出するオゾン水は、水流幅拡張器７０の受け皿７１に溜められたオゾン水の表面に接触することがなく、水流幅拡張器７０の受け皿７１に溜められて行くこととなる。
したがって、消毒装置２０によれば、水流幅拡張器７０の受け皿７１の流出口７３からオゾン水が流出する程度にオゾン水が水流幅拡張器７０の受け皿７１に溜められた状態において、オゾン水供給管３４の供給口３５から流出するオゾン水が水流幅拡張器７０の受け皿７１に溜められたオゾン水の表面に接触したときの衝撃でオゾン水中のオゾンが分解することを防止することができる。
【００５５】
消毒装置２０のオゾン処理部５０は、消毒部３０（消毒部３０の消毒室３２）において揮散したオゾン水中のオゾンを分解する（酸素に戻す）処理を行って排気するように構成される。
このため、オゾン処理部５０を備える消毒装置２０では、消毒部３０において揮散したオゾン水中のオゾンが、消毒部３０外に流出することを防止することができる。
【００５６】
消毒装置２０のオゾン処理部５０は、排気ファン５１と、オゾン分解触媒５２と、排気管５３と、を備えて構成される。オゾン処理部５０は、消毒部３０（消毒部３０の消毒室３２）に連通するように接続される。
オゾン処理部５０の排気管５３は、消毒部３０（消毒部３０の消毒室３２）に接続される。
オゾン処理部５０の排気ファン５１とオゾン分解触媒５２とは、排気管５３を介して消毒部３０（消毒部３０の消毒室３２）に接続される。
【００５７】
そして、消毒装置２０のオゾン処理部５０は、消毒部３０（消毒部３０の消毒室３２）において揮散したオゾン水中のオゾンを、その排気ファン５１によって排気管５３を介して消毒部３０（消毒部３０の消毒室３２）外に吸引し、オゾン分解触媒５２によって分解する処理を行って排気するように構成される。
このようにオゾン処理部５０が排気ファン５１とオゾン分解触媒５２とを備えて構成されることにより、消毒装置２０では、消毒部３０において揮散したオゾン水中のオゾンが消毒部３０外に流出することを防止するものを、簡易に実現することができる。
【００５８】
また、消毒装置２０の消毒部３０の消毒室３２は、箱体３１の内部の空間で構成されることにより、消毒室３２の周囲（四方）が壁（箱体３１の壁）で囲まれるように構成される。
このように、周囲が壁で囲まれるように構成される消毒室３２を備える消毒部３０を具備する消毒装置２０によれば、消毒部３０の消毒室３２において揮散したオゾン水中のオゾンが、（前記オゾン処理部５０で処理されるものを除いて、）消毒室３２から流出することを抑制することができる。
【００５９】
消毒装置２０の消毒部３０の挿入孔３３は、片手分の手指を挿入可能な大きさ（例えば、直径が略１０〜１５ｃｍ程度の大きさ）に形成される。
このように消毒装置２０の消毒部３０の挿入孔３３が構成されることにより、消毒部３０の消毒室３２において揮散したオゾン水中のオゾンが、（前記オゾン処理部５０で処理されるものを除いて、）消毒部３０の消毒室３２から挿入孔３３を介して流出することをより確実に抑制することができる。
【００６０】
消毒装置２０では、オゾン水濃度測定システム１のオゾン水生成部２がアルカリオゾン水（例えば、ｐＨ９、半減期：２分のオゾン水）を生成して消毒部３０に供給するように構成することもできる。
このように構成することにより、消毒装置２０では、消毒部３０におけるオゾン水（アルカリオゾン水）による手指の消毒（殺菌）効果を向上させることができる。
【００６１】
また、消毒装置２０は、図７に示すように、予備洗浄液供給部６０を備えて構成することもできる。
消毒装置２０の予備洗浄液供給部６０は、配管５を介して消毒部３０に接続され、アルカリ洗剤・石鹸等の手指の予備洗浄に用いられる予備洗浄液を、配管５を介して消毒部３０（消毒室３２）に供給するように構成される。
このように構成される消毒装置２０は、消毒部３０（消毒室３２）において、まず、予備洗浄液供給部６０から供給される予備洗浄液によって手指の予備洗浄を行い、次いで、オゾン水濃度測定システム１のオゾン水生成部２から供給されるオゾン水によって手指の消毒を行うように構成される。
このように構成することにより、消毒装置２０では、消毒部３０（消毒室３２）における手指の消毒をより確実に行うことができる。
【符号の説明】
【００６２】
１    オゾン水濃度測定システム
２    オゾン水生成部
４    オゾン水濃度計
５    配管
７    オゾンガス発生装置
８    貯溜槽
１０  オゾンガス供給器
【図１】
2014066569.tif 000003
【図２】
2014066569.tif 000004
【図３】
2014066569.tif 000005
【図４】
2014066569.tif 000006
【図５】
2014066569.tif 000007
【図６】
2014066569.tif 000008
【図７】
2014066569.tif 000009